(57)【特許請求の範囲】
【請求項１】
ロアアームと、該ロアアームの一側面側に配置され前記ロアアームに固定されたヒンジ部材により前記ロアアームに回動自在に支持されたラチエツトと、前記ロアアームに形成された開口部と、該開口部内に摺動自在に配置され摺動動作によつて前記ラチエツトと噛合及び噛合解除されるポールと、前記ロアアームの他側面側に配置され且つ前記ロアアームに回転自在に支持され回転動作によつて前記ポールと当接及び当接解除されるカム部材と、前記ロアアームの他側面側に配置され且つ前記ロアアームに回転自在に支持され前記ポール及び前記カム部材に連係された操作部材とを有し、ロアアームには、本体部分と、該本体部分の厚み方向にずれた絞り部分と、前記本体部分と前記絞り部分との間を連結する連結部分とが備えられ、前記開口部は前記連結部分に形成されていることを特徴とするリクライニング装置。
【発明の詳細な説明】
【０００１】
【発明の目的】
【０００２】
【産業上の利用分野】
本発明は、リクライニング装置に関するものである。
【０００３】
【従来の技術】
従来、この種のリクライニング装置としては、実開平１−１６９１４９号公報に示されるものが知られている。これは、ロアアーム，ロアアーム対して回動自在なラチエツト，ロアアームに摺動自在に支持され摺動動作によつてラチエツトと噛合及び噛合解除されるポール，ロアアームに回転自在に支持され回転動作によつてポールと当接又は当接解除されるカム部材及びポール及びカム部材に連係された操作部材を有するものであつて、操作部材の操作によりポールとカム部材とを当接させると共にポールとラチエツトとを噛合させることで、ラチエツトのロアアームに対する回動を規制し、操作部材の操作によりポールとカム部材とを当接解除させると共にポールとラチエツトとの噛合が解除されることで、ラチエツトのロアアームに対する回動が許容されるものであつた。
【０００４】
【発明が解決しようとする課題】
上記した従来装置では、ポールはラチエツトと噛合可能であつて且つロアアームに支持されるものでなければならことからポールの配置はラチエツトとロアアームとの間になりポールと当接可能なカム部材もラチエツトとロアアームとの間に配置されることとなる。この配置は、ラチエツトとポールとの噛合及びポールとカム部材との当接が軸方向に対して同一平面上となることから強度的にも理想的な配置となるものであるが、ラチエツトのロアアームへの支持構造やポール及びカム部材と操作部材との連係構造が複雑なものとなるものであつた。
【０００５】
故に、本発明は、簡単な構造のリクライニング装置を提供することを、その技術的課題とするものである。
【０００６】
【発明の構成】
【０００７】
【課題を解決するための手段】
上記技術的課題を解決するために本発明において講じた技術的手段は、ロアアームと、該ロアアームの一側面側に配置され前記ロアアームに固定されたヒンジ部材により前記ロアアームに回動自在に支持されたラチエツトと、前記ロアアームに形成された開口部と、該開口部内に摺動自在に配置され摺動動作によつて前記ラチエツトと噛合及び噛合解除されるポールと、前記ロアアームの他側面側に配置され且つ前記ロアアームに回転自在に支持され回転動作によつて前記ポールと当接及び当接解除されるカム部材と、前記ロアアームの他側面側に配置され且つ前記ロアアームに回転自在に支持され前記ポール及び前記カム部材に連係された操作部材とを有し、ロアアームには、本体部分と、該本体部分の厚み方向にずれた絞り部分と、前記本体部分と前記絞り部分との間を連結する連結部分とが備えられ、前記開口部は前記連結部分に形成されていることを特徴とする、ことである。
【０００８】
【作用】
上記技術的手段によれば、ポール及びカム部材が操作部材が配置されるロアアームの他側面側に露出することとなり、ロアアームの一側面側にはラチエツトが存在することとなる。よつて、ポール及びカム部材と操作部材とが近接し且つロアアームとラチエツトとが近接する。結果、ラチエツトのロアアームへの支持構造やポール及びカム部材と操作部材との連係構造を簡素化し得る。そして、ロアアームには厚み方向にずれた絞り部分が形成されており、開口部はこの絞り部分と本体部分との間の連結部分に形成され、カム部材はこの絞り部分内に位置して本体部分と同一平面上に配置される。これにより、ポールの厚みが最小限に抑えられ装置全体の軸方向厚みが小さく抑えられる。
【０００９】
【実施例】
以下、本発明の一実施例を添付図面に基づいて説明する。
【００１０】
図１に示されるように、シートクツシヨン１の後部両側には夫々ロアアーム２，３が固定されており、シートバツク４の下部両側にはラチエツト５，６が固定されている。このロアアーム２，３とラチエツト５，６とは夫々後述するブツシユ７，８を介してロアアーム２，３に対してラチエツト５，６が回動自在となるように連結されており、さらに、ロアアーム２，３とラチエツト５，６とはラチエツト５，６のロアアーム２，３に対する回動を規制状態又は許容状態とする後述の機構９，１０によつて関連づけられている。
【００１１】
機構９について説明する。
【００１２】
図２ないし図４に示されるように、機構９は、対のポール９１，カム部材９２及びレリーズプレート９３とを有して構成されている。
【００１３】
ブツシユ７は、貫通穴７１を有する筒状を呈したものであつて、ロアアーム２に形成された貫通穴２１内に嵌挿されてロアアーム２の一側面２２に立設されるように溶接等によつて固定されている。ラチエツト５はロアアーム２の一側面２２側に配置されブツシユ７の外周に挿通されて回動自在に支持され、さらに、ブツシユ７を中心として内歯５１が半抜き形成されている。ロアアーム２には径方向に延在する対の開口２３がブツシユ７を中心として対称となるように形成されている。対のポール９１は、この開口２３内に夫々開口２３の側壁に沿つて摺動自在に支持されており、摺動方向と直交する一端面には外歯９１ａが、他端面には摺動方向に対して傾斜した当接面９１ｂが夫々形成され、さらに、側面にはピン９１ｃが夫々半抜き形成されている。ブツシユ７１には回転軸９４が貫通穴７１に挿通されて回転自在に支持されており、その両端はブツシユ７１より外方に延在している。カム部材９２は当接部９２ａが形成された菱形形状を呈するものであつて、ロアアーム２の他側面２３側に配置され回転軸９４の一端に一体回転するように固着されている。レリーズプレート９３はロアアーム２の他側面２３側に配置され回転軸９４の一端に一体回転するように固着されている。このレリーズプレート９３には対のカム長穴９３ａが形成されている。
【００１４】
このように構成されたリクライニング機構９のポール９は、その厚み内において外歯９１ａがロアアーム２の他側面２２側に配置されたラチエツト５の内歯５１と噛合可能に且つ当接面９１ｂがカム部材９２の当接部９２ａと当接可能に開口２３内に配置される。尚、ロアアーム２には厚み方向にずれた絞り部分２ａが形成されており、開口部２３はこの絞り部分２ａと本体部分２ｂとの間の連結部分２ｃに形成され、カム部材９２はこの絞り部分２ａ内に位置して本体部分２ｂと同一平面上に配置される。これにより、ポール９１の厚みが最少限に抑えられ装置全体の軸方向厚みが小さく抑えられる。
【００１５】
回転軸９４の他端には操作レバー９５が一体回転するように固着されている。
【００１６】
この操作レバー９５とロアアーム２との間にはスプリング９６が配設されており、操作レバー９５はこのスプリング９６の付勢力を受けてポール９１の外歯９１ａとラチエツト５の内歯５１とが噛合し且つ外歯９１ａと内歯５１との噛合を維持させるべくカム部材９２の当接部９２ａとポール９１の当接面９１ｂとが当接してポール９１の摺動動作が規制されるように他方向に回動付勢されている。尚、操作レバー９５を設けずに、レリーズプレート９３をケーブル等で直接操作するようにしてもよい。この場合、回転軸９４は必ずしもカム部材９２及びレリーズプレート９３と共に回転するものでなくてもよい。
【００１７】
ブツシユ７回りには一端がブツシユ７に係止され且つ他端がラチエツト５に係止されたスパイラルスプリング１１が配設されており、このスパイラルスプリング１１はポール９１の外歯９１ａとラチエツト５の内歯５１との噛合が解除された状態においてラチエツト５をロアアーム２に対して他方向（図２示半時計方向）に付勢する。又、レリーズプレート９３にはフランジ部９３ｂが形成されており、レリーズプレート９３はこのフランジ部９３ｂに連結された連動棒１２を介して機構１０のレリーズプレートに連結されている。機構１０の構成は機構９と同様であるので省略する。
【００１８】
次に作動について説明する。
【００１９】
図２は、ポール９１の外歯９１ａとラチエツト５の内歯５１とが噛合してアツパアーム３のロアアーム２に対する回動が機構９，１０により規制された状態を示す。
【００２０】
この状態において、操作レバー９５をスプリング９６の付勢力に抗して操作して一方向（図１示時計方向）に回動させると、回転軸９４を介してカム部材９２及びレリーズプレート９３が回転する。これにより、カム部材９２の当接部９２ａとポール９１の当接面９１ａとの当接が解除されポール９１が摺動動作可能となると共にレリーズレバー９３のカム長穴９３ａとポール９１のピン９１ｃとのカム作用によつてポール９１が摺動させられ、ポール９１の外歯９１ａとラチエツト５の内歯５１との噛合が解除される。結果、機構９がラチエツト５のロアアーム２に対する回動を許容する状態となる。尚、レリーズプレート９３の回転は連動棒１２を介して機構１０のレリーズプレートも回転させられるため、機構９と同様に機構１０もラチエツト５のロアアーム２に対する回動を許容する状態となる。
【００２１】
アツパアーム３がロアアーム２に対して回動が許容された状態で、操作レバー９５のスプリング９６の付勢力に抗した操作を解除すると、操作レバー９５はスプリング９６の付勢力を受けて他方向に回動し、回転軸９４を介してカム部材９２及びレリーズプレート９３が回転する。これにより、レリーズレバー９３のカム長穴９３ａとポール９１のピン９１ｃとのカム作用によつてポール９１が摺動させられてポール９１の外歯９１ａとラチエツト５の内歯５１との噛合すると共にカム部材９２の当接部９２ａとポール９１の当接面９１ａとが当接してポール９１の摺動動作が規制され外歯９１ａと内歯５１との噛合が維持される。結果、機構９がラチエツト５のロアアーム２に対する回動を規制する状態となる。尚、レリーズプレート９３の回転は連動棒１２を介して機構１０のレリーズプレートも回転させられるため、機構９と同様に機構１０もラチエツト５のロアアーム２に対する回動を規制する状態となる。
【００２２】
上記したように、ポール９１がロアアーム２の開口２１内に配置されるので、ポール９１及びカム部材９２がレリーズプレート９３が配置されるロアアーム２の他側面２３側に露出することとなり、ロアアーム２の一側面２２側にはラチエツト５が存在することとなる。よつて、ポール９１及びカム部材９２とレリーズプレート９３とが近接し且つロアアーム２とラチエツト５とが近接する。これにより、ポール９１とレリーズレバー９３との連係として半抜き形成されたピン９１ｃを、カム部材９２とレリーズプレート９３との連係として夫々の回転支持及び操作を行う回転軸９４を、ラチエツト５のロアアーム２への支持としてロアアーム２に固定されたブツシユ７を夫々利用でき、ラチエツト５のロアアーム２への支持構造やポール９１及びカム部材９２とレリーズプレート９３との連係構造が簡素化される。特に、ピン９１ｃ及び回転軸９４の利用は装置全体の軸方向厚みをより小さくすることに寄与され、ブツシユ７の利用はラチエツト５のロアアーム２に対する回動を安定化することに寄与される。
【００２３】
【発明の効果】
本発明によれば、ポールをロアアームの開口内に配置したので、ポール及びカム部材が操作部材が配置されるロアアームの他側面側に露出することとなり、ロアアームの一側面側にはラチエツトが存在することとなる。これにより、ポール及びカム部材と操作部材とを近接させ且つロアアームとラチエツトとを近接させることができ、結果、ラチエツトのロアアームへの支持構造やポール及びカム部材と操作部材との連係構造を簡素化することができる。
【図面の簡単な説明】
【図１】本発明に係るリクライニング装置を採用したシートの斜視図である。
【図２】本発明に係るリクライニング装置の平面図である。
【図３】図２のＡ−Ａ線断面図である。
【図４】図２の分解斜視図である。
【符号の説明】
２  ロアアーム
５  ラチエツト
２３  開口
９１  ポール
９２  カム部材
９３  レリーズプレート（操作部材）
９４  ブツシユ（ヒンジ部材）
【図１】
0003603317.tif 000002
【図２】
0003603317.tif 000003
【図３】
0003603317.tif 000004
【図４】
0003603317.tif 000005